(57)【特許請求の範囲】
【請求項１】
自然石よりなる巨石を配置して構成する魚道において、
河床部に前記巨石を固定するために敷石を敷設した固定部と、
前記固定部に下部を埋めて配置された複数の巨石を組み合わせて下流に向かって凹形状部を形成する複数の巨石組と、
前記巨石相互間であって前記固定部の上部に打設されたコンクリート部と、
前記凹形状部に形成されたプール部と、
を有し、
前記複数の巨石組は、上流の隣接する巨石組の間を流れた水が、その下流に配置された巨石組の前記プール部に入るように千鳥状に配置されている
ことを特徴とする魚道。
【請求項２】
前記巨石組は、数個の巨石により下流に向かって凹形状を形成する第１巨石組と、前記第１巨石組の下流側に配置され、前記第１巨石組を支持する数個の巨石からなる第２巨石組とで構成されていることを特徴とする請求項１記載の魚道。
【請求項３】
前記コンクリート部の上に切込砂利を敷設したことを特徴とする請求項１又は請求項２に記載の魚道。
【発明の詳細な説明】
【技術分野】
【０００１】
本発明は堰堤等の構築物が設けられた河川等の魚が遡上し難い箇所において、魚が遡上できるようにする魚道に関し、さらに詳しくは巨石を用いて構成する魚道に関するものである。
【背景技術】
【０００２】
魚の遡上を助けるために川に設けられる魚道としては、従来はコンクリートの三面張り水路の中に一定間隔でコンクリートの仕切壁を設けてプール部を形成した構造のものが多く用いられていた。このような全体をコンクリート構造物で構成した魚道にあっては、工期が長くかかるとともに、自然環境に合わせた施工が難しいものであった。
【０００３】
そこで、これらを解消するために、複数のコンクリートブロックを組み合わせて魚道を構成する技術が開発されている。例えば、特許文献１では、コンクリートブロック本体上に水勢を和らげる水制用突起と凹状部を形成した魚道ブロックを傾斜した水路に多段に並べて魚道を構成する提案がなされている。このような魚道ブロックを用いた場合には、予めブロックを工場で製造しておくことができるので、工期を短縮することができる。
【０００４】
また、自然環境に溶け込ませる魚道としては、自然石のみを用いて魚の遡上を可能にした堰堤構造も提案されている。例えば、特許文献２は、河川下流部に巨石積堰堤を配し、上流部に沈水型堰堤を設置し、その両堰堤間を石樋魚道で連結して魚道を構成するものであり、前記両堰堤を自然石で構成したものである。また、特許文献３にあっては、巨石の下部に小岩石を詰めて巨石を固定したものもある。
【先行技術文献】
【特許文献】
【０００５】
【特許文献１】特開平１１−２４１３２８
【特許文献２】特開２００５−１３３３０１
【特許文献３】実用新案登録第３１４４４０８
【発明の概要】
【発明が解決しようとする課題】
【０００６】
しかしながら、上記特許文献１のように魚道ブロックを用いた魚道にあっては、複数のコンクリートブロックを並べて構成するために、各ブロックを緊結金具で連結し、基礎へアンカー止めを行う必要がある。そのために、河川に既設の強固な構造物を基礎として構築する必要があり、かつ、それぞれのブロックを緊結していかなければならない。
【０００７】
また、特許文献２、特許文献３に示されるように自然石のみを用いて魚道を構成した場合、魚道を自然環境に溶け込ませる効果はある。しかし、巨石を安定して固定することは容易でなく、巨石の下部に小岩石などを詰めて固定するにあたっては、固定が安定するように巨石下部の形状を楔形状等にする必要があった。
【０００８】
本発明は上記課題を解決するものであり、その目的は、基礎構造物を設置しなくても巨石を安定して固定することが可能な魚道を提供するものである。
【課題を解決するための手段】
【０００９】
上記目的を達成するための本発明に係る代表的な構成は、自然石よりなる巨石を配置して構成する魚道において、河床部に前記巨石を固定するために敷石を敷設した固定部と、前記固定部に下部を埋めて配置された複数の巨石を組み合わせて下流に向かって凹形状部を形成する複数の巨石組と、前記巨石相互間であって前記固定部の上部に打設されたコンクリート部と、前記凹形状部に形成されたプール部と、を有し、前記複数の巨石組は、上流の隣接する巨石組の間を流れた水が、その下流に配置された巨石組の前記プール部に入るように千鳥状に配置されていることを特徴とする。
【発明の効果】
【００１０】
上記構成にあっては、河床部に敷石を敷設し、この敷石に巨石の下部を埋めるように配置した巨石安定構造のため、巨石を固定するための基礎構造物が不要となる。そのため、巨石の設置が容易となり、工期を短縮することができる。
【００１１】
また、巨石相互間であって敷石上にコンクリートを打設したために、巨石の固定がより安定し、また敷石が水流によって移動することもない。さらに、コンクリートの打設により凹部の形成が容易にでき、プール部の形成が容易になし得る。
【００１２】
さらに、複数の巨石により上流に向かって凹形状となるように巨石組を形成してプール部を形成し、上流の隣接する巨石組の間を流れた水が、その下流に配置された巨石組のプール部に入るように複数の巨石組を千鳥状に配置したために、魚が遡上するためのプール部の形成が容易となるとともに、減水時には多数箇所に形成されたプール部に水を貯えることができ、ここに水が流れ込むようになるために、魚の遡上を妨げることがない。
【００１３】
また、コンクリート部の上部に砂利等を敷設するようにすれば、コンクリート部が見えなくなり、水流も自然な流れとなって魚道が自然環境により溶け込むようになる。
【図面の簡単な説明】
【００１４】
【図１】本発明の実施形態に係る魚道の上視説明図である。
【図２】本発明の実施形態に係る魚道の側断面説明図である。
【図３】本発明の実施形態に係る魚道の各部の高さを示す説明図である。
【図４】本発明の実施形態に係る巨石組の説明図である。
【図５】本発明の実施形態に係る巨石組の配置説明図である。
【図６】本発明の実施形態に係る各部の部分拡大側断面説明図である。
【発明を実施するための形態】
【００１５】
次に本発明に係る魚道の一実施形態について、図面を参照して具体的に説明する。図１は本発明の実施形態に係る魚道の上視説明図であり、図２は側断面説明図、図３は魚道を構成する各部のおよその高さを示す説明図である。
【００１６】
本実施形態では、図１に示すように、下流側の河床に向けて扇状に設けられる扇形魚道を例示して説明する。もっとも、本発明は扇形魚道に限らず、全断面魚道等の他の形式の魚道にも適用できる。
【００１７】
本実施形態に係る魚道は、図１及び図２に示すように、河床部１に敷石２を敷設して固定部を構成し、この敷石２の上に複数の巨石３を配置する。そして、配置した巨石相互間であって前記敷石上にコンクリートを打設してコンクリート部を形成し、このコンクリート部にプール部を形成するものである。以下、本実施形態の魚道構成について、構築工程に沿って説明する。
【００１８】
＜敷石の敷設＞
河川には必要に応じて堰堤４等の構築物が川の流れ（矢印Ｆ）と交差する方向の川幅全体に所定の段差をもって構築されている。本実施形態の魚道を構築するにあたっては、まず前記堰堤４の下流側の河床部１に敷石２を敷設する。この敷石２は直径５ｃｍ〜１５ｃｍ程度の石であって、砕石、栗石、割栗石、玉石等を好適に用いることができる。この敷石２を、魚道を形成する河床部１の全体に、高さが数十ｃｍ程度（本実施形態では５０ｃｍ程度）となるように敷設する。
【００１９】
敷石層の形成は、後述するように最初は河床部１の所定高さの敷石２の層を形成し、その敷石層の上に巨石３を配置した後、その巨石３の下部を埋めるように更に敷石を敷設して全体として高さが数十ｃｍ程度となる敷石層を敷設するものである。
【００２０】
敷設した敷石２の層が巨石３を固定するための固定部となる。したがって、巨石３の下部に詰めるために前述した程度のサイズが好ましいが、前記サイズに限定する必要はない。
【００２１】
＜巨石の配置・固定＞
巨石３は敷石２の上に配置して、敷石層によって固定する。この巨石３は自然石であって、大きさは直径０．７ｍ〜１．５ｍ程度、重量は１ｔ〜５ｔ程度のものが好適であって、河川等にそのまま存在するものを用いることができる。したがって、巨石は他所から運搬等しなくても、現地で調達することが可能である。
【００２２】
本実施形態の魚道に用いる巨石３は、下部を敷石層に埋めることにより、巨石自体の重量で固定する。そのため、小さすぎると設置しても安定せず、また逆に大きすぎると設置自体が困難になる。したがって、前記程度の大きさ、重量のものが好適に用いられる。
【００２３】
しかし、巨石３は水勢を緩和するとともに、後述するようにその上流側にプール部を形成するためのものであるため、河川の幅、水勢、あるいは水量によって大きさや重量を適宜選択すればよく、必ずしも前述した大きさ、重量に限定する必要はない。
【００２４】
前記巨石３の固定は、魚道を形成する河床部１の全体に所定の高さ（本実施形態では２０ｃｍ程度）に敷石２の層（第１敷石層）を敷設し、その敷石層の上に巨石３を配置する。そして、巨石３の配置が終了した後、それぞれの巨石３の下部が所定深さで埋められるように最初に敷設した敷石層の上にさらに所定高さ（本実施形態では３０ｃｍ程度）で敷石２の層（第２敷石層）を敷設する。このとき、配置した巨石相互間に敷石を詰め、また巨石と敷石層との間に隙間が生じないように巨石３の下部を敷石２で埋める。このようにして巨石３の下部を敷石によって深さ数十ｃｍ程度埋め戻す。
【００２５】
これにより、河床部１の上に所定高さの敷石層が形成され、その敷石層に下部が埋められた巨石３が配置され、かつ、巨石３は敷石層と巨石自体の自重により固定される。
【００２６】
なお、図２にあっては、下流側の巨石３は下部が第２敷石層によって埋められた状態を示しており、上流側の巨石３は第２敷石層の図示を省略し、第２敷石層の上部のみを一点鎖線で示している。
【００２７】
ここで、巨石３の固定は前述のように、敷石層を第１敷石層、第２敷石層に分けて敷設する以外にも、河床部１の上に最初から５０ｃｍ程度の敷石層を敷設する構成でもよい。この場合は、巨石３を敷石２上に配置するにあたり、巨石３を配置する部分の敷石２を数十ｃｍ程度（本実施形態の場合ならば３０ｃｍ程度）掘り出して凹部を形成する。この凹部に巨石３を配置することで、巨石３の下部が敷石２に埋め込まれるようにする。さらに、配置した巨石相互間に敷石を詰め、また巨石３と敷石層に形成した凹部との隙間に敷石２を埋める。このようにして巨石３の下部を敷石層に深さ数十ｃｍ程度埋め込むようにしてもよい。
【００２８】
このように、本実施形態の魚道にあっては、河床部に敷設した敷石層に巨石３の下部を埋めるように配置した巨石安定構造のため、巨石３を固定するための基礎構造物が不要となる。そのため、巨石の設置が容易となり、工期を短縮することが可能である。
【００２９】
また、本実施形態にあっては、巨石３を配置するときに複数の巨石を組み合わせて上流に向かって凹形状となる巨石組を形成し、この巨石組を千鳥状に配置するようにしている。
【００３０】
具体的には、図４に示すように、３個の巨石３を組み合わせて上流に向かって凹形状となる凹部５ａ1が形成されるように配置した第１巨石組５ａと、その下流側に２個の巨石３を前記第１の巨石組と接触するように組み合わせて配置した第２巨石組５ｂとで１つの巨石組５を構成している。
【００３１】
前記第１巨石組５ａは巨石の上流側にプール部を形成するためのものであり、水勢を緩和するとともに、水流を集めやすい形状になるように複数の巨石を組み合わせることで形成している。
【００３２】
一方、第２巨石組５ｂは前記第１巨石組５ａを下流側から支持するためのものである。したがって、第２巨石組５ｂは第１巨石組５ａよりもより確実に固定されていることが望ましい。このため、本実施形態では第２巨石組５ｂを構成するそれぞれの巨石３を、第１巨石組５ａを構成するそれぞれの巨石３よりも深く敷石層に埋め込んで固定している。これにより、第２巨石組５ｂを構成する巨石は第１巨石組５ａの巨石よりも安定して固定され、凹部５ａ1により水流の影響を受け易い第１巨石組５ａを下流から確実に支持する。
【００３３】
なお、第２巨石組の巨石として第１巨石組の巨石よりも重い石を用いれば、前記のように第２巨石組の巨石を敷石層に深く埋めなくても、第１巨石組の巨石を下流側から確実に支持することができる。
【００３４】
また、本実施形態では前記第１巨石組５ａを３個の巨石で、第２巨石組５ｂを２個の巨石で構成した例を示したが、これら巨石の個数は前記個数に限定する必要はなく、適宜数個の巨石を組み合わせて第１巨石組５ａ及び第２巨石組５ｂを構成すればよい。
【００３５】
上記のように第１巨石組５ａと第２巨石組５ｂとよりなる巨石組５を、図５に示すように、千鳥状に配置する。すなわち、巨石組５を河川の川幅方向に所定間隔を隔てて配置し、隣接する巨石組５の間に魚が遡上する通路となるスリット部６を形成する。そして、前記スリット部６の下流に次の巨石組５を配置し、スリット部６を通って流れた水が下流に配置された巨石組５の凹部５ａ1に入るように配置している。
【００３６】
前記スリット部６の幅は広すぎると水勢を緩和できなくなり、幅が狭すぎると魚が遡上し難くなる。そのため、本実施形態ではスリット部６の幅が３０ｃｍ〜５０ｃｍ程度となるように巨石組５を配置している。そして、前記巨石組５を、図１及び図２に示すように、堰堤４の下流側に扇形に、かつ、下流から上流に向かって段階的に高くなるように配置して魚道を構成する。
【００３７】
＜コンクリート部の形成＞
前記のようにして巨石組５を配置固定した後、巨石相互間であって敷石層の上に所定の高さ（本実施形態では３０ｃｍ程度、図３参照）コンクリートを打設してコンクリート部７を形成する。このように敷石層の上にコンクリート部７を設けることにより、流れが急な河川であっても敷石２が移動したり、河床部がえぐれたりするおそれがなくなる。さらに、巨石相互間をコンクリートで固定することにより、巨石３をより安定して固定することができる。
【００３８】
そして、コンクリート部７を形成する際に、第１巨石組５ａの凹部５ａ1の部分が所定深さになるように該部分の敷石２を除去した後、所定高さでコンクリートを打設する。これにより、図６に示すように、凹部５ａ1が他の部分よりも低くなり、ここに遡上する魚が休息可能なプール部８が形成される。本実施形態では前記プール部８の深さＤが２０ｃｍ〜３０ｃｍ程度となるようにしている。
【００３９】
前記コンクリート部７を設けることにより、プール部８を形成することが容易になし得る。すなわち、凹部５ａ1の敷石２を除去してコンクリートを打設するだけで、凹部５ａ1に所定深さのプール部を簡単に形成することができる。
【００４０】
本実施形態にあっては、敷石層の上に打設したコンクリート部７によりプール部８を形成しているために、プール部８に貯えられた水が敷石層にしみ込むことがない。そして、スリット部６を通って流れた水はスリット部６の下流に位置するプール部８へ案内されるため、水流が弱い河川、あるいは乾期で水量が少ない河川であってもプール部８には水が確実に貯えられるようになる。
【００４１】
このため、減水時でも魚は下流のプール部８から上流のプール部８へと順次移動でき、遡上が妨げられることがない。
【００４２】
＜切込砂利の敷設＞
さらに、本実施形態の魚道は、図６に示すように、前記コンクリート部の上に切込砂利９を敷設し、高さ１０ｃｍ程度の切込砂利層を形成している。これにより、コンクリート部７が露出することがなくなり、魚道全体からは自然石よりなる巨石３と、切込砂利９が露出するのみとなる。
【００４３】
このため、魚道全体が自然環境に溶け込むようになり、川の流れも自然になるため、魚の遡上がより容易に行われることになる。
【符号の説明】
【００４４】
１    …河床部
２    …敷石
３    …巨石
４    …堰堤
５    …巨石組
５ａ  …第１巨石組
５ｂ  …第２巨石組
６    …スリット部
７    …コンクリート部
８    …プール部
９    …切込砂利
【図１】
0005837342.tif 000002
【図２】
0005837342.tif 000003
【図３】
0005837342.tif 000004
【図４】
0005837342.tif 000005
【図５】
0005837342.tif 000006
【図６】
0005837342.tif 000007